(57)【要約】      （修正有）【課題】イオン発生装置搭載機器において、複数の運転モードを切替えて使用中にイオン発生装置の駆動SWの入力を忘れることがあり、期待された除菌等の効果が得られない。【解決手段】イオン発生装置を備えた機器において、イオンモードの「入/切」と運転モードの切り換えが各々独立で選択可能に構成し、イオンモード「切」であっても特定の運転モードに切り換えた場合、強制的にイオンモード「入」にすることを特徴とする機器制御方法であり、運転モードに特定の運転モードを設定し、そのモードを選択された場合では使用者の設定に係わらずイオン発生装置を強制的に運転する。【選択図】図４
2010243106.tif 000002
【特許請求の範囲】
【請求項１】
イオン発生装置を備えた機器において、イオンモードの「入/切」と運転モードの切り換えが各々独立で選択可能に構成し、イオンモード「切」であっても特定の運転モードに切り換えた場合、強制的にイオンモード「入」にすることを特徴とする機器制御方法。
【請求項２】
前記特定の運転モード選択前の運転モードがイオンモード「切」の場合、特定の運転モードに切り換えイオンモードが強制的に「入」となっても、次に通常の運転モードに切り換えた場合、イオンモードは「切」に戻る事を特徴とする請求項１に記載の機器制御方法。
【請求項３】
前記特定の運転モードに切り換えイオンモードが強制的に「入」となっても、前記特定の運転モードにおいて前記イオンモードの「入/切」操作が可能である請求項１又は2に記載の機器制御方法。
【請求項４】
前記特定の運転モードに切り換えイオンモードが強制的に「入」となり、前記特定の運転モードで前記イオンモードの「入/切」操作を行い、次に通常運転モードに切り換えた場合、特定の運転モードで最後に選択したイオンモードが、前記通常運転モード選択時のイオンモードとなることを特徴とする請求項３に記載の機器制御方法。
【請求項５】
設定から運転終了までの時間を計時すると共に設定時間経過後に運転を終了する切タイマ機能をさらに搭載し、切タイマ運転を選択されたときには、タイマ運転終了時の運転モードが冷凍サイクル駆動を伴う時には冷凍サイクルのみを停止して送風とイオン発生を継続運転すると共に、送風とイオン発生装置のみの運転の時には、全ての運転を停止することを特徴とする請求項１から４のいずれかに記載の機器制御方法。
【請求項６】
請求項１から５のいずれかに記載の制御方法を採用した空気調和機。
【発明の詳細な説明】
【技術分野】
【０００１】
本発明は、イオン発生装置搭載空気調和機の制御に関するものである。
【背景技術】
【０００２】
従来、イオン放出を制御する方法として、例えば特許文献１（特開２００４−１７０００２号公報）に記載された発明によれば、浴室内へのイオン放出を、風呂釜の状況、つまり風呂釜内の水位や温度を、水位センサー、水温センサー等で検知し、自動的にイオン放出を制御するようにしている。
【０００３】
例えば、風呂釜内の水温が設定された温度になっていれば、人が入浴すると想定し、イオン放出を行うようにしている。
【０００４】
これとは別に、イオンを空気中に放出させる事により、居住空間において浮遊粒子を不活性化させ、浮遊細菌を死滅させると共に臭気成分を変性して消臭させることが可能であることも知られている。これは、居住空間、例えば仕切られた部屋で、イオン発生装置を動作させ、イオンを必要に応じて放出させるようにしている。この場合、通常、イオンを放出させるモード、またイオン放出させないモードを、ユーザ側で自由に選択できるようになっている。上記イオンモードを選択できるようにモード選択スイッチ（操作部）として、「入／切」スイッチが設けられている。
【先行技術文献】
【特許文献】
【０００５】
【特許文献１】特開２００４−１７０００２号公報
【発明の概要】
【発明が解決しようとする課題】
【０００６】
イオンを空気中に放出させる事により、居住空間において浮遊粒子を不活性化させ、浮遊細菌を死滅、また臭気成分を変性して消臭させるイオン発生装置を備える空気調和機等においては、イオン発生のモードを選択する「入/切」ボタン（スイッチ）とは別に、空気調和のための各種運転モードを切り換える運転切換ボタン（スイッチ）とが設けられ、各々独立してイオンモードと、運転モードとが選択可能である。
【０００７】
そのため、消臭または空気浄化等の効果を謳っている特定の運転モードに切り換えた場合、イオンモードが「切」であると矛盾が生じる。消臭または空気浄化を謳っている特定の運転モードを選択した場合は、イオン放出を行う必要があり、イオンモード選択スイッチとしては「入」でなければならない。
【０００８】
また、特許文献１に記載されたセンサー等でイオン発生モードを自動的に切り換える方法では、特定の運転モードを選択しても、イオンモードは自動的に「入」にならない。即ち、センサーの値によりイオンモード、つまりイオン放出をさせるか、させないかを制御する方法であり、特定の運転モードを選択しても、イオンモードが「切」の場合があり、制御としては問題がある。
【０００９】
本発明は、以上の問題点を解消することを目的とする。
【００１０】
また、本発明は、イオンモード選択ボタン（スイッチ）と、運転モード切換えるための運転切換ボタン（スイッチ）とを備え、それぞれもモードを独立して選択可能とした空気清浄機、加湿器、湿度／温度調整を行うエアコン等の空気調和機において、特定の運転モードが選択させることで、イオン放出を可能にする制御方法を提供することを目的とする。
【課題を解決するための手段】
【００１１】
以上の問題点を解決するため、特定の運転モードに切り換えた場合は、前回の運転モードでイオンモード「切」が選択されていても、強制的にイオンモード「入」に切り換えることにより、特定の運転モードにおいてはイオン放出の制御を行えるようにしたものである。
【００１２】
これにより、特定の運転モードにおいて空気浄化・消臭効果が期待できるようにする。
【００１３】
上記記載の特定運転モードで強制的にイオンモード「入」になり、その後運転モードを切り換え特定の運転モード以外を選択した場合はイオンモード「切」に戻す。つまり、強制的にイオンモード「入」にする以前の選択モードに戻す。これは特定の運転モードを選択する前は意図してユーザがイオンモード「切」を選択しているため、特にイオン効果を謳っていないモードにした時は、ユーザが選択した元のイオンモードに戻す。
【００１４】
ただし、特定運転モードを選択して強制的にイオンモード「入」になっても、少なからずイオンモード「切」にしたいユーザも存在することも考えられるため、特定運転モードにおいてもイオンモード「入/切」操作は可能とする。
【００１５】
また、特定運転モードでイオンモード「入/切」操作を行った場合、意図してユーザがイオンモード「入/切」操作を行ったので、次に運転モードを切り換え特定運転モード以外に切り換えた場合は、特定運転モードで最後に選択したイオンモードが反映される。
【発明の効果】
【００１６】
本発明の上述した構成によるイオンの制御方法によれば、特定の運転モードに切り換えた場合は、強制的にイオン「入」に切り換わり、特定の運転モードにおいてはイオンの放出が行われる。これにより、放出されたイオンで空気浄化・消臭効果が期待できるようになる。
【００１７】
また、特定運転モードで強制的にイオンモード「入」になっても、ユーザ側でのイオンモードの選択操作を反映させることが可能となり、ユーザの操作性を向上できる。
【００１８】
以上のように、本発明によれば、運転モードの名称に矛盾無くイオンの効果を期待できると共に操作性の良い制御となる。
【図面の簡単な説明】
【００１９】
【図１】本発明に関わる冷風機の内部構造について、（ａ）は冷風運転時、また（ｂ）衣類消臭運転時の状態を示す側面視での断面図である。
【図２】本発明に関わる冷風機の内部構造について、乾燥運転（除湿運転）時の状態を示す側面視での断面図である。
【図３】本発明に関わる機器の操作部の図である。
【図４】本発明の第１の実施形態に関わる制御のフローチャートである。
【図５】本発明の第２の実施形態に関わる制御のフローチャートである。
【図６】本発明に関わる冷風機の制御ブロックである。
【図７】関連部分の従来の制御フローチャートである。
【発明を実施するための形態】
【００２０】
（第１の実施形態）
以下に、本発明のイオン放出を制御するものとして、冷風機を例に一実施形態について図面を参照しながら記述する。図１及び２は本発明の冷風機１０１の内部構造を示す。図１は可動板が第２の通気路から第１の通気路への経路を閉ざした冷風運転または衣類消臭運転時の状態を示し、図２は可動板が第２の通気路から第１の通気路への経路を開いた乾燥運転（除湿運転）時の状態を示している。冷風機１０１は、冷風運転の他に、乾燥運転ができるものである。その外殻は概ね扁平な箱を垂直に立てたような本体１０２より構成され、本体１０２の内部には、上部側に第１の通気路１１０が、下部側に第２の通気路１２０が、それぞれ形成されている。
【００２１】
本体１０２には、前後左右の側面のうちの後面（図では左側）に、第１の通気路１１０への空気の入口となる第１の吸込み口１１１が開口している。この第１の吸込み口１１１が形成された後面とは丁度反対側となる前面（図では右側）には、第１の通気路１１０からの空気の出口となる第１の吹出し口１１２が、本体１０２の前面の上部から上面にかけて開口している。第１の吹出し口１１２には、上下で一対のルーバ１１３Ａ、１１３Ｂが設けられている。上側のルーバ１１３Ａと下側のルーバ１１３Ｂは、それぞれ互いに独立して左右方向に沿った支軸（不図示）に支持されていて、各支軸を支点に互いに連動して回動するようになっている。第１の通気路１１０の経路中には、第１の吸込み口１１１の背後に、蒸発器１１４と第１の送風機１１５がこの順に配されている。蒸発器１１４は、後述の凝縮器１２４と対を成して冷凍サイクルを構成し互いの間を冷媒が循環するものであり、液体の冷媒を蒸発させることにより周りから熱を奪う熱交換器である。第１の送風機１１５は、ファンモータとファンより成る。
【００２２】
また、本体１０２の後面には、第１の吸込み口１１１の下方に、第２の通気路１２０への空気の入口となる第２の吸込み口１２１が開口している。この第２の吸込み口１２１の直ぐ上には、第２の通気路１２０からの空気の出口となる第２の吹出し口１２２が開口している。第２の通気路１２０の経路中には、第２の吸込み口１２１の背後に、凝縮器１２４と第２の送風機１２５がこの順に配されている。凝縮器１２４は、気体の冷媒を冷却して凝縮させるために周りに熱を与える熱交換器である。第２の送風機１２５は、ファンモータとファンより成る。なお、蒸発器１１４から凝縮器１２４への循環経路（不図示）中には、蒸発器１１４からの気体の冷媒を圧縮して凝縮器１２４へ送り出す圧縮機１２９が配されている。
【００２３】
特に、第２の通気路１２０は、第２の送風機１２５から上方に延びた後、水平に折れ曲がって第２の吹出し口１２２に至るわけであるが、その折れ曲がり部分で分岐して、第１の通気路１１０における蒸発器１１４と第１の送風機１１５との間につながっている。その分岐部には、第２の通気路１２０から第１の通気路１１０への経路を開閉するダンパ１２３が設けられている。ここでのダンパ１２３は、左右方向に沿った支軸１２３ａに支持され、その支軸１２３ａを支点に回動するようになっている。ダンパ１２３は、第２の通気路１２０の経路に関し、回動によって、第２の吹出し口１２２への経路を開きつつ第１の通気路１１０への経路を閉ざす姿勢と、第２の吹出し口１２２への経路を閉ざしつつ第１の通気路１１０への経路を開く姿勢とを取り得る。
【００２４】
冷風運転では、図１（ａ）に示すように、ダンパ１２３が第１の通気路１１０への経路を閉ざす姿勢にされる。この状態で、第１の送風機１１５を駆動させると、これに従い、後面側の外部の空気である室内の空気が、第１の吸込み口１１１より吸い込まれて第１の通気路１１０に導入される（図中の実線矢印参照）。導入された空気は、蒸発器１１４を通過した後、第１の送風機１１５から吐出されて上方前向きに導かれ、第１の吹出し口１１２より前面側の外部である室内へ吹き出される。その際に空気は、蒸発器１１４を通過する過程で熱を奪われて冷却されるとともに、その空気中の水分が蒸発器１１４の表面に結露して現れる。その結露水は、排水口１１６より第１の通気路１１０外へ排出され、連結管（不図示）を通じて排水タンク１１７に受け入れられて貯まる。こうして、第１の吹出し口１１２からは乾いた冷たい空気である冷風が吹き出される。
【００２５】
一方で、第２の送風機１２５を駆動させると、これに従い、後面側の外部の空気である室内の空気が、第２の吸込み口１２１より吸い込まれて第２の通気路１２０に導入される（図中の破線矢印参照）。導入された空気は、凝縮器１２４を通過した後、第２の送風機１２５から吐出されて上向きに導かれ、更にダンパ１２３により案内されて後方に導かれ、第２の吹出し口１２２より後面側の外部である室内へ吹き出される。その際に空気は、凝縮器１２４を通過する過程で熱を与えられて加熱される。こうして、第２の吹出し口１２２からは温かい空気である温風が吹き出される。
【００２６】
これとは逆に乾燥運転では、図２に示すように、ダンパ１２３が第１の通気路１１０への経路を開く姿勢にされる。この状態で、第１の送風機１１５の駆動に従い、後面側の外部の空気である室内の空気が、第１の吸込み口１１１より吸い込まれて第１の通気路１１０に導入され、その空気は蒸発器１１４を通過する過程で冷却される（図中の実線矢印参照）。一方で、第２の送風機１２５の駆動に従い、後面側の外部の空気である室内の空気が、第２の吸込み口１２１より吸い込まれて第２の通気路１２０に導入され、その空気は、凝縮器１２４を通過する過程で熱を与えられて加熱される（図中の破線矢印参照）。加熱された空気は、第２の通気路１２０から第１の通気路１１０に導入され、蒸発器１１４からの乾いた冷たい空気と混合し、そのまま、第１の吹出し口１１２より前面側の外部である室内へ吹き出される。こうして、第１の吹出し口１１２からは室温程度の適度な温度の乾いた空気が吹き出される。
【００２７】
また、イオン発生装置８は第１の吹出し口１１２の出口近傍にイオン発生面のみを通気路に露出して設置されている。イオン「入」「切」ボタンが操作されて、イオン運転が選択された場合又は強制操作によってイオン運転がされる場合に吹出し口１１２から室内へイオンを送出（放出）する。
【００２８】
本発明では、上記運転のいずれかの運転の途中で、以下に詳細に説明するが図３に示すイオン入／切ボタン３を押しイオン発生装置８が作動を開始すると、イオンランプが点灯し、イオン発生装置８はプラスイオンとマイナスイオンを発生する。最も安定して発生するプラスイオンはＨ＋（Ｈ２Ｏ）ｎ、最も安定して発生するマイナスイオンはＯ２−（Ｈ２Ｏ）ｍである。プラスイオンとマイナスイオンは、単独では空気中の浮遊細菌に対し弱い滅菌効果しかないが、同時に発生すると、化学反応によって活性種である過酸化水素Ｈ２Ｏ２または水酸化ラジカル（・ＯＨ）が生成され、Ｈ２Ｏ２または（・ＯＨ）の強力な活性で空気に浮遊する細菌を除去できる。イオン入／切ボタン３をもう一度押せばイオン発生装置８の作動は止まり、イオンランプは消灯する。
【００２９】
本発明に関わる操作部を図３に示す。運転入/切ボタン１の操作により運転の「入/切」を行うことができる。運転「入」の時は、切タイマボタン２により切タイマ設定、イオンボタン３によりイオン「入/切」、風量切換ボタン４により風量設定、スイングルーバーボタン５で風向の調整、運転切換ボタン６により運転モードを切り換えることが可能である。運転「切」の時は、上記運転入/切ボタン１以外の操作は無効である。
【００３０】
図６に冷風機の制御ブロック図を示す。運転切換ボタン６が押されるとマイクロコンピュータからなる制御装置９によって運転モードが切り換えられ、各々の運転モードの仕様に従うように、ルーバを動かすルーバモータ７、送風機１１５、１２５、圧縮機１２９、イオン発生装置８を制御する。
【００３１】
また、イオンボタン３が押されるとマイクロコンピュータからなる制御装置９によってイオン発生装置８を制御する。
【００３２】
図４に本発明の制御のフローチャートを示す。このフローチャートは図３の運転入/切ボタン１の操作により運転「入」の状態である。
【００３３】
Ｓ１でイオンボタン３が押されたか判定する。押されたと判定された場合、現在のイオンモードIONMDの「入/切」を判定する（Ｓ２）。Ｓ１でイオンボタンが押されてないと判定された場合、Ｓ３に移る。Ｓ２で現在のイオンモードIONMDが「入」であれば、現在のイオンモードIONMDは「切」に変わり（Ｓ２-1）、そうでなければ、現在のイオンモードIONMDは「入」に変わる（Ｓ２-2）。次に、前回のイオンモードIONMDBに現在のイオンモードIONMDを転送する（Ｓ２-3）。
【００３４】
次に運転切換ボタン６が押されたか判定する（Ｓ３）。押されていないと判定された場合、Ｓ１に戻って運転を継続する。S3で運転切換ボタン６が押されたと判定した場合、現在の運転モードUTNMDが冷風であるかを判定する（Ｓ４）。運転モードUTNMDが冷風である場合、運転モードUTNMDは衣類乾燥に変わり（Ｓ４-1）、現在のイオンモードIONMDに前回のイオンモードIONMDBが転送され（Ｓ４-2）、Ｓ１に戻る。
【００３５】
Ｓ４で現在の運転モードUTNMDが冷風で無いと判定した場合、Ｓ５に移り、運転モードUTNMDが衣類乾燥であるかを判定する。現在の運転モードUTNMDが衣類乾燥である場合、運転モードUTNMDは自動除湿に変わり（Ｓ５-1）、現在のイオンモードIONMDに前回のイオンモードIONMDBが転送され（Ｓ５-2）、Ｓ１に戻る。
【００３６】
Ｓ５で現在の運転モードUTNMDが衣類乾燥で無いと判定した場合、Ｓ６に移り、運転モードUTNMDが自動除湿であるかを判定する。現在の運転モードUTNMDが自動除湿である場合、運転モードUTNMDはカビ除湿に変わり（Ｓ６-1）、現在のイオンモードIONMDは強制的に「入」に切り換わり（Ｓ６-2）、Ｓ１に戻る。
【００３７】
Ｓ６で現在の運転モードUTNMDが自動除湿で無いと判定した場合、Ｓ７に移り、運転モードUTNMDがカビ除湿であるかを判定する。運転モードUTNMDがカビ除湿である場合、運転モードUTNMDは衣類消臭に変わり（Ｓ７-1）、現在のイオンモードIONMDは強制的に「入」に切り換わり（Ｓ７-2）、Ｓ１に戻る。
【００３８】
Ｓ７で現在の運転モードUTNMDがカビ除湿で無いと判定した場合、Ｓ８-1に移り、運転モードUTNMDは冷風に変わり、現在のイオンモードIONMDに前回のイオンモードIONMDBが転送され（Ｓ８-2）、Ｓ１に戻る。
【００３９】
本発明の冷風機の運転モードは、冷凍サイクルを駆動して冷風と温風を別々の吹出し口から送出する「冷風」モード（空気の流れは図１（ａ）に示す）、冷凍サイクルを駆動して冷風と温風を混合して同じ吹出し口から送出する「衣類乾燥」モード（空気の流れは図２に示す）、冷凍サイクルを駆動して湿度センサーの検知結果に基づき運転制御を行う「自動除湿」モード（空気の流れは図２に示す）、冷凍サイクルを駆動すると共にイオン発生装置８を運転してイオン送出を行いながら除湿運転を行う「カビ除湿」モード（空気の流れは図２に示す）、冷凍サイクルを停止してイオン発生装置８と第１の送風機１１５もしくは第２の送風機１２５のみ運転を行い、第１吹出し口から発生イオンと共に送風を行う「衣類消臭」モードがある。この「衣類消臭」モードでの空気の流れは、例えば図１（ｂ）に示すように、第１の送風機１１５を運転し、第１の通気路１１０を介して、発生したイオンが吹出し口１１２から送出される。
【００４０】
本発明において、イオンの効果を謳っている特定の運転モードはカビ除湿と衣類消臭であり、これら２つのモードを選択すると上述したとおり強制的にイオンモードIONMDは、「入」に切り換わる。（Ｓ６-2、Ｓ７-2）。また特定の運転モード以外に切り換えた場合、ここでは冷風（Ｓ８-1）であるが、イオンモードは特定の運転モードでイオンモードの切り換えを行わなければ、特定の運転モード選択前のイオンモード（Ｓ８-2）になり、特定の運転モードでイオンモードの切り換えを行った場合は（Ｓ２-3）、そのイオンモードが反映される（Ｓ８-2）。
【００４１】
本発明の冷風機には風量切換ボタン４、スイングルーバ入／切ボタン５を備えているが各々風量「強」、「弱」切換えとルーバのスイング動作の「入」、「切」を操作するものであり、従来と同様の制御であるため詳細な説明は省略する。
【００４２】
以上のように、本発明は、イオンの効果を謳っている特定の運転モードを選択した場合、強制的にイオンモードを「入」にすることにより、特定の運転モードにおいては確実にイオンの効果をユーザに提供でき、また、操作性が良い制御方法を提供するものである。
【００４３】
本発明による第１の実施形態で説明した制御によれば、特定の運転モードとしては「カビ除湿」モード、「衣類消臭」モードである。これらのモード以外にイオン発生装置を動作させイオンを外部に送出（放出）させることが必要となる運転モード、そのモードが選択可能であれば、同様にしてイオンモード「入」にするようにすればよい。
【００４４】
ここで、先にも少し説明しているが、特定の運転モードが操作選択され、その特定の運転モードで動作しているとき、イオンモードは「入」に強制的に設定される。その特定の運転モードでの運転時、このモードとは別の運転モードに切り換えられれば、イオンモードは、特定の運転モードが選択される前のイオンモードに戻される。これにより、本来のユーザが設定したイオンモードでの制御を実行することになる。そのため、ユーザが運転モードを切り換える操作を行う度に、イオンモードの切換え操作を必要とせず、以前にユーザが所望したイオンモードでの運転が行われる。よって、その都度、イオンボタン３の操作を削減でき、操作性の向上、つまり操作を簡単にすることができる。
【００４５】
また、特定の運転モードに切換えたときに、強制的にイオンモード「入」となるが、その運転モード状態においても、ユーザがイオンボタン３を操作させることで、イオンモードの切換えを可能にしている。たとえば、強制的にイオンモード「入」に設定されていることで、その状態でイオンボタン３を操作すれば、イオンモード「切」になる。また、その状態でイオンボタン３を操作すれば（押せば）、イオンモード「入」に切換え操作できる。これにより、ユーザが所望したイオンモードでの運転を可能にできる。
【００４６】
さらに、上述したように特定の運転モードでの運転制御中に、イオンボタン３によるイオンモードの切換え操作を可能にしている。このとき、運転切換ボタン６を操作し、たとえば「冷風」モードが選択されると、特定の運転モードでの動作中に、イオンボタン３の操作における最終操作時のイオンモード状態が維持され、そのイオンモードで運転制御される。これにより、ユーザが意図した最終の所望した状態でのイオンモードによる運転制御が実行される。その結果、運転切換ボタン５を操作し、運転モードを選択することで、ユーザが所望したイオンモードでの運転制御が実現でき、そのために運転モードの切換え操作を行うだけで、イオンボタン３を逐次操作する必要がなくなる。そのため、面倒な操作が改善され、操作を簡単にし、操作性の向上を図れる。
【００４７】
（第２の実施形態）
次に第２の実施形態について説明する。
【００４８】
この実施形態においては、先に説明した第１の実施形態の冷風機１０１をベースに切タイマ運転を行った場合について説明する。
【００４９】
第２の実施形態においては、第１の実施形態と同様に冷風機１０１の停止状態で運転入／切ボタン１を押すと冷風運転が開始される。運転状態で運転切換ボタン６を押すと第１の実施形態で説明したように「冷風」運転、「衣類乾燥」運転、「自動除湿」運転、「カビ除湿」運転、「衣類消臭」運転と運転モードが切り替わり、各々のモードで運転する。
【００５０】
いずれかの運転モードで運転中に切タイマボタン２を押すと、切タイマが２時間、もしくは４時間に設定され、それに対応して切タイマランプ「２時間」、「４時間」が点灯し、切タイマ機能が動作する。最初は２時間がセットされ、以降、切タイマボタン２を押す度に、設定がタイマ「２」時間→タイマ「４」時間→切タイマ解除と変化し、それに合わせて切タイマランプの点灯状態が「２」から「４」へ、「４」から消灯へと移り変わる。運転中に運転入／切ボタン１を押すと、冷風機１０１は全ての動作を停止し、点灯中だったランプは全て消灯する。
【００５１】
比較のため、従来技術の切タイマ運転について、図７に従い説明する。説明を簡単にするため、冷風機は既に運転を開始しているものとする。
【００５２】
ステップＳ１０１では、切タイマボタン２が押されるのを監視している。切タイマボタン２が押されると、当初の切タイマ設定が「解除」であれば（Ｓ１０２）「２」に切り替わり（Ｓ１０３）、「２」であれば（Ｓ１０４）「４」に切り替わり（Ｓ１０５）、「４」であれば（Ｓ１０５）切タイマ運転を解除する（Ｓ１０６）。切タイマランプは、切タイマ運転「２」が設定されているときは２時間ランプ、「４」が設定されているときは４時間ランプが点灯し、「解除」されている場合はすべて消灯する。
【００５３】
ステップＳ１０７では再度運転入／切ボタンが押されるのを監視している。再度運転入／切ボタンが押されると切タイマ運転を解除して（Ｓ１０８）運転を停止する（Ｓ１０９）。運転入／切ボタンが押されない場合はステップＳ１１０に進み、切タイマ運転が設定されているか判定する。
【００５４】
切タイマ運転が設定されている場合、すなわち、「２」または「４」が選択されている場合は、ステップＳ１１１で切タイマが設定されてからの時間をカウントし、ステップＳ１１２で設定時間が経過しているか判定する。経過した場合は切タイマ運転を解除（Ｓ１０８）して運転を停止する（Ｓ１０９）。切タイマ時間設定が経過していない場合や切タイマ運転が「解除」の場合は、運転を継続して、再度運転入／切ボタンが操作されるのを監視する。
【００５５】
このような制御ではイオンモード運転をしていようがいまいが関係なく、切タイマ運転で設定された時間が経過すれば冷風機が停止する制御を行っている。
【００５６】
次に本発明の切タイマ運転について、図４の制御の続きであり、図５に従い説明する。対応する部分はステップＳ９以降の部分に相当する。
【００５７】
ステップＳ９では、切タイマボタンが押されるのを監視している。切タイマボタンが押されると、当初の切タイマ設定が「解除」であれば（Ｓ１０）「２」に切り替わり（Ｓ１０-1）、「２」であれば（Ｓ１１）「４」に切り替わり（Ｓ１１-１）、「４」であれば（Ｓ１１）切タイマ運転を解除する（Ｓ１２）。切タイマランプは、切タイマ運転「２」が設定されているときは２時間ランプ、「４」が設定されているときは４時間ランプが点灯し、「解除」されている場合はすべて消灯する。
【００５８】
ステップＳ１３では再度運転入／切ボタンが押されるのを監視している。再度運転入／切ボタンが押されると切タイマ運転を解除して（Ｓ１４）運転を停止する（Ｓ１５）。運転入／切ボタンが押されない場合はステップＳ１６に進み、切タイマ運転が設定されているか判定する。
【００５９】
切タイマ運転が設定されている場合、すなわち、「２」または「４」が選択されている場合は、ステップＳ１７で切タイマが設定されてからの時間をカウントし、ステップＳ１８で設定時間が経過しているか判定する。設定時間が経過した場合は切タイマ運転を解除（Ｓ１９）すると共に圧縮機の運転を伴う運転モードであるか否かを判断（Ｓ２０）し、圧縮機の運転を伴う時には圧縮機の運転を停止（Ｓ２１）して、衣類消臭モードに強制切換えしてイオン運転のみ継続する（Ｓ２２）。圧縮機の運転を伴わない時には全ての運転を停止する（Ｓ１５）。切タイマ時間設定が経過していない場合や切タイマ運転が「解除」の場合は、そのまま運転を継続して、再度運転入／切ボタンが操作されるのを監視する。
【００６０】
このような制御を行うことにより、特定の運転モードにおいて、タイマ運転が終了した時点で、冷風又は除湿・乾燥運転によって達成された室内環境で、イオン供給のみを継続することになる。このことで、消費エネルギーの大きい圧縮機を停止して冷凍サイクルの運転を終了しながらも、消費エネルギーが小さい送風機とイオン発生装置のみの運転で、イオン発生による除菌や消臭といった効果を継続して享受することが可能になる。
【産業上の利用可能性】
【００６１】
イオンによる殺菌、除菌、消臭等の効果を発揮できるように構成された機器において、特定の運転モードを設定し、そこにおいては必ずイオンが供給されるようにすることによって、機器本来の目的と共にイオンによる殺菌、除菌、消臭等の効果を発揮できる。また、同じ考え方で薬剤散布や薬剤効果を持つ粒子を撒布する機器にも応用が可能である。
【符号の説明】
【００６２】
１    運転入/切ボタン
２    切タイマボタン
３    イオンボタン
４    風量切換ボタン
５    スイングルーバーボタン
６    運転切換ボタン
７    ルーバモータ
８    イオン発生装置
９    制御装置
１０    湿度センサー
１０１    冷風機
１０２    本体
１１０    第１の通気路
１１１    第１の吸込み口
１１２    第１の吹出し口
１１３Ａ  ルーバ
１１３Ｂ  ルーバ
１１４    蒸発器
１１５    第１の送風機
１１６    排水口
１１７    排水タンク
１２０    第２の通気路
１２１    第２の吸込み口
１２２    第２の吹出し口
１２３    ダンパ
１２４    凝縮器
１２５    第２の送風機
１２９    圧縮機
【図１】
2010243106.tif 000003
【図２】
2010243106.tif 000004
【図３】
2010243106.tif 000005
【図４】
2010243106.tif 000006
【図５】
2010243106.tif 000007
【図６】
2010243106.tif 000008
【図７】
2010243106.tif 000009